(57)【要約】  １つの例示的な実施形態においては、管腔内装置は、複数のワイヤから形成された細長い構造体を含んでもよい。管腔内装置または、細長い構造体の中間領域において長手方向に位置する複数の環状をしたワイヤのセットを含んでもよく、複数のセットは、構造体の周りに円周方向に離間されてもよく、互いに協働して複数の凝塊入口開口を形成するように構成される。少なくとも１つの織られたワイヤの群は、中間領域に隣接して長手方向に位置してもよく、少なくとも１つの織られたワイヤの群は、開放力が細長い構造体に加えられたときに、少なくとも１つの群が複数の環状をしたワイヤのセットの間に開いた第１の隙間を保持するために構造的支持を提供するように構成されてもよい。
2019500078.tif 000002
【特許請求の範囲】
【請求項１】
複数のワイヤから形成された細長い構造体を含む管腔内装置であって、
前記細長い構造体の中間領域において長手方向に位置する複数の環状をしたワイヤのセットであって、前記構造体の周りに円周方向に離間され、互いに協働して複数の凝塊入口開口を形成するように構成された複数の環状をしたワイヤのセットと、
前記中間領域に隣接して長手方向に位置する少なくとも１つの織られたワイヤの群であって、前記少なくとも１つの織られたワイヤの群は、開放力が前記細長い構造体に加えられたときに、前記少なくとも１つの織られたワイヤの群が前記複数の環状をしたワイヤのセットの間に開いた第１の隙間を保持するために構造的支持を提供するように構成され、前記開放力に応答して、前記少なくとも１つの織られたワイヤの群におけるワイヤの間に第２の隙間が形成され、前記環状をしたワイヤのセットにおける前記第１の隙間は、前記少なくとも１つの織られたワイヤの群の各々におけるワイヤの間の前記第２の隙間より大きい、少なくとも１つの織られたワイヤの群と
を備える管腔内装置。
【請求項２】
前記少なくとも１つの織られたワイヤの群は、少なくとも２つの織られたワイヤの群を含み、各群は、前記複数の環状をしたワイヤのセットを包含する前記中間領域の対向する側において互いから長手方向に離間され、少なくとも２つの織られたワイヤの群は、開放力が前記ワイヤ構造体に加えられたときに、前記少なくとも２つの織られたワイヤの群が前記複数の環状をしたワイヤのセットの間に開いた第１の隙間を保持するために構造的支持を提供するように互いに協働し、前記開放力に応答して、前記少なくとも２つの織られたワイヤの群の各々におけるワイヤの間に第２の隙間が形成され、前記環状をしたワイヤのセットにおける前記第１の隙間は、前記少なくとも２つの織られたワイヤの群の各々におけるワイヤの間の前記第２の隙間より大きい、請求項１に記載の管腔内装置。
【請求項３】
前記細長い構造体は、少なくとも１２つのワイヤから形成され、前記複数の環状をしたワイヤのセットの各々は、前記少なくとも１つの織られたワイヤの群と同じ少なくとも１２つのワイヤから形成されている、請求項１に記載の管腔内装置。
【請求項４】
前記構造体は、前記中間領域において環状をしたワイヤの６つのセットを画定する１２つのワイヤから形成され、前記隣接する領域において、前記１２つのワイヤは、前記少なくとも１つの織られたワイヤの群を集合的に形成する、請求項１に記載の管腔内装置。
【請求項５】
前記１２つのワイヤの各々は、約８０ミクロンの直径を有する、請求項１に記載の管腔内装置。
【請求項６】
前記１２つのワイヤの各々は、７５ミクロンの直径を有する、請求項５に記載の管腔内装置。
【請求項７】
複数のワイヤから形成された細長い構造体を含む管腔内装置であって、
前記複数のワイヤがシャフトを形成するように捩じられている第１の領域と、
前記複数のワイヤが足場を形成するように織られている、前記第１の領域に隣接する第２の領域と、
前記複数のワイヤが凝塊捕捉構造体を形成するように環状をした対のセットに分離されている、前記第２の領域に隣接する第３の領域と、
前記複数のワイヤが血餅を捕捉するように構成された高密度フィルタを形成するように編組されている第４の領域と
を備える、管腔内装置。
【請求項８】
前記細長い構造体は、治療部位への送達のための収縮位置と、前記細長い構造体に加えられる開放力に応答する拡張位置との間を移行するように構成されている、請求項１に記載の管腔内装置。
【請求項９】
前記細長い構造体は、前記開放力が与えられたときに、第１の隙間が前記第２の領域におけるワイヤの間に形成され、第２の隙間が前記第３の領域におけるワイヤの間に形成されて、前記第２の隙間が前記第１の隙間より大きいように構成されている、請求項２に記載の管腔内装置。
【請求項１０】
前記細長い構造体は、前記開放力が与えられたときに、第３の隙間が前記第４の領域におけるワイヤの間に形成されて、前記第３の隙間が前記第１の隙間と前記第２の隙間との両方より小さいように構成されている、請求項３に記載の管腔内装置。
【請求項１１】
前記第４の領域に隣接する第５の領域を更に備え、前記第５の領域における前記複数のワイヤは、追加のシャフトを形成するように捩られている、請求項１に記載の管腔内装置。
【請求項１２】
前記複数のワイヤは、１２つのワイヤを含む、請求項１に記載の管腔内装置。
【請求項１３】
前記１２つのワイヤの各々は、約８０ミクロンの直径を有する、請求項６に記載の管腔内装置。
【請求項１４】
前記１２つのワイヤの各々は、７５ミクロンの直径を有する、請求項１３に記載の管腔内装置。
【請求項１５】
前記細長い構造体は、前記第１の領域の軸線方向の移動を介して前記開放力が与えられるように構成されている、請求項３に記載の管腔内装置。
【請求項１６】
前記第３の領域と前記第４の領域との間に足場の追加の第２の領域を更に備える、請求項１に記載の管腔内装置。
【請求項１７】
複数のワイヤから形成された細長い構造体を含む管腔内装置であって、
前記管腔内装置は、各々が前記複数のワイヤのサブセットから形成された複数のケーブルを備え、ケーブルの対は、複数の交差位置において互いに交差し、
前記複数の交差位置において、交差ケーブルの各対からのワイヤは、解かれ、対の交差ケーブルからのワイヤと共に織られ、
前記交差ケーブルの前記ワイヤが前記交差位置において共に織られて、開放力が前記細長い構造体に与えられたときに、前記共に織られたワイヤを互いに対して移動させることを可能にするようにし、
前記細長い構造体に加えられる前記開放力に応答して、前記交差位置において、交差ケーブルの対は、前記細長い構造体が治療部位への送達のための収縮位置と、拡張された凝塊捕捉位置との間を移行する際に、互いに対して旋回するように構成されている、管腔内装置。
【発明の詳細な説明】
【技術分野】
【０００１】
本出願は、２０１５年１１月４日に出願された米国仮出願第６２／２５０，７６７号の優先権の利益を主張するものであって、その開示内容全体が参照によって本明細書に組み込まれる。
【０００２】
本開示は、人間の血管から障害物を回収するように構成された血管内及び／又は管腔内医療装置に関する。回収されるべき障害物には、凝塊及び凝塊物質が含まれることができる。
【発明の概要】
【課題を解決するための手段】
【０００３】
開示された実施形態は、複数のワイヤから形成された細長い構造体を含む管腔内装置を含んでもよい。管腔内装置は、細長い構造体の中間領域において長手方向に位置する複数の環状をしたワイヤのセットを含んでもよい。複数のセットは、構造体の周りに円周方向に離間され、互いに協働して複数の凝塊入口開口を形成するように構成されてもよい。少なくとも１つの織られたワイヤの群は、中間領域に隣接して長手方向に位置してもよく、開放力が細長い構造体に加えられたときに、少なくとも１つの群が複数の環状をしたワイヤのセットの間に開いた第１の隙間を保持するために構造的支持を提供してもよいように構成されてもよい。開放力に応答して、少なくとも１つの織られたワイヤの群におけるワイヤの間に第２の隙間が形成されてもよく、環状をしたワイヤのセットにおける第１の隙間は、少なくとも１つの群の各々におけるワイヤの間の第２の隙間より大きくてもよい。
【０００４】
別の実施形態においては、管腔内装置の少なくとも１つの群は、少なくとも２つの織られたワイヤの群を含んでもよく、各群は、複数の環状をしたワイヤのセットを包含する中間領域の対向する側において互いから長手方向に離間されていてもよい。少なくとも２つの織られたワイヤの群は、開放力がワイヤ構造体に加えられたときに、少なくとも２つの群が複数の環状をしたワイヤのセットの間に開いた第１の隙間を保持するために構造的支持を提供してもよいように互いに協働してもよい。開放力に応答して、少なくとも２つの群の各々におけるワイヤの間に第２の隙間が形成されてもよく、環状をしたワイヤのセットにおける第１の隙間は、少なくとも２つの群の各々におけるワイヤの間の第２の隙間より大きくてもよい。
【０００５】
別の実施形態においては、管腔内装置の細長い構造体は、少なくとも８つのワイヤから形成されてもよく、複数の環状をしたワイヤのセットの各々は、少なくとも１つの織られたワイヤの群と同じ少なくとも８つのワイヤから形成されてもよい。
【０００６】
別の実施形態においては、管腔内装置の細長い構造体は、中間領域において環状をしたワイヤの６つのセットを画定してもよい１２つのワイヤから形成されてもよい。隣接する領域において、１２つのワイヤは、少なくとも１つの織られたワイヤの群を集合的に形成してもよい。別の実施形態においては、１２つのワイヤの各々は、約８０ミクロンの直径を有してもよい。一実施形態においては、例えば、管腔内装置の各ワイヤは、約７５ミクロンの直径を有してもよい。別の例として、管腔内装置の各ワイヤは、６０〜８５ミクロンの間の直径を有してもよい。
【０００７】
別の実施形態においては、管腔内装置は、複数のワイヤから形成された細長い構造体を含んでもよい。管腔内装置は、複数のワイヤがシャフトを形成するように捩じられてもよい第１の領域と、複数のワイヤが足場を形成するように織られてもよい、第１の領域に隣接する第２の領域とを含んでもよい。管腔内装置はまた、複数のワイヤが凝塊捕捉構造体を形成するように環状をした対のセットに分離されてもよい、第２の領域に隣接する第３の領域を含んでもよい。管腔内装置はまた、複数のワイヤが血餅を捕捉するように構成された高密度フィルタを形成するように編組されてもよい第４の領域を含んでもよい。
【０００８】
別の実施形態においては、管腔内装置の細長い構造体は、治療部位への送達のための収縮位置と、細長い構造体に加えられる開放力に応答する拡張位置との間を移行するように構成されてもよい。
【０００９】
別の実施形態においては、管腔内装置の細長い構造体は、例えば、開放力が与えられたときに、第１の隙間が第２の領域におけるワイヤの間に形成されてもよく、第２の隙間が第３の領域におけるワイヤの間に形成されて、第２の隙間が第１の隙間より大きくてもよいように構成されてもよい。
【００１０】
別の実施形態においては、管腔内装置の細長い構造体は、例えば、開放力が与えられたときに、第３の隙間が第４の領域におけるワイヤの間に形成されて、例えば、第３の隙間が第１の隙間と第２の隙間との両方より小さいように構成されてもよい。
【００１１】
別の実施形態においては、管腔内装置は、第４の領域に隣接する第５の領域を含んでもよく、第５の領域における複数のワイヤは、追加のシャフトを形成するように捩られてもよい。別の実施形態においては、管腔内装置は、１２つのワイヤを含んでもよく、各ワイヤは約８０ミクロンの直径を有してもよい。一実施形態においては、例えば、管腔内装置の各ワイヤは、約７５ミクロンの直径を有してもよい。別の例として、管腔内装置の各ワイヤは、６０〜８５ミクロンの間の直径を有してもよい。
【００１２】
別の実施形態においては、管腔内装置の細長い構造体は、第１の領域の軸線方向の移動を介して開放力が与えられてもよいように構成されてもよい。更に別の実施形態においては、管腔内装置は、第３の領域と第４の領域との間に足場の追加の第２の領域を含んでもよい。
【００１３】
別の実施形態においては、管腔内装置は、複数のワイヤから形成された細長い構造体を含んでもよく、装置はまた、各々が複数のワイヤのサブセットから形成された複数のケーブルを含んでもよい。ケーブルの対は、複数の交差位置において互いに交差してもよく、複数の交差位置において、交差ケーブルの各対からのワイヤは、解かれ、対の交差ケーブルからのワイヤと共に織られてもよい。更に、交差ケーブルのワイヤが交差位置において共に織られて、開放力が細長い構造体に与えられたときに、共に織られたワイヤを互いに対して移動させることを可能にするようにしてもよい。また、細長い構造体に加えられる開放力に応答して、交差位置において、交差ケーブルの対は、細長い構造体が治療部位への送達のための収縮位置と、拡張された凝塊捕捉位置との間を移行する際に、互いに対して旋回するように構成されてもよい。
【００１４】
本明細書に組み込まれ、本明細書の一部を構成する、添付の図面は、開示された実施形態を示し、本明細書と共に、開示された実施形態を説明する役割を果たす。
【図面の簡単な説明】
【００１５】
【図１】開示された実施形態の少なくとも１つと一致する例示的な管腔内装置の図である。
【図２】開示された実施形態の少なくとも１つによる別の例示的な管腔内装置の図である。
【図３】開示された実施形態の少なくとも１つによる別の例示的な管腔内装置の図である。
【図４】開示された実施形態の少なくとも１つによる別の例示的な管腔内装置の図である。
【図５】開示された実施形態の少なくとも１つによる別の例示的な管腔内装置の図である。
【図６】開示された実施形態の少なくとも１つによる別の例示的な管腔内装置の図である。
【図７】開示された実施形態の少なくとも１つによる別の例示的な管腔内装置の図である。
【図８】図７に関連して開示されるような例示的なケーブルの織り交ぜの図である。
【図９Ａ】開示された実施形態の少なくとも１つによる別の例示的な管腔内装置の図である。
【図９Ｂ】図９Ａに示された例示的な管腔内装置の一部の拡大図である。
【図１０】開示された実施形態の少なくとも１つと一致する管腔内装置の領域の更なる説明である。
【発明を実施するための形態】
【００１６】
図面に示されている注釈は、例示的なものに過ぎず、主張される本発明を限定するものではない。
【００１７】
ここで、本開示の実施形態（例示的な実施形態）を詳細に参照し、その例が添付の図面に示される。可能な限り、同じ参照番号が図面全体に亘って使用されて、同じ又は同様の部分を参照する。
【００１８】
図１は、５つの交互のワイヤ区域１００１、１００２、１００３、１００４、及び１００５を含む例示的な管腔内装置１０００を示す。区域１００１、１００３、及び１００５は、織られたワイヤ１０１０の群を含み、区域１００２及び１００４のための構造的支持を提供してもよい。更に、区域１及び５のワイヤ１０１０の間の開口は、非常に小さくてもよいので、遠位及び近位フィルタを提供してもよい。（可変サイズの開口の例は、図１０に図示されており、以下で説明される）。結果として、回収中に現れてもよい凝塊粒子は、例えば、これらの区域において捕獲されてもよい。図１に更に示されるように、区域１００２及び１００４は、環状をしたワイヤ１０２０から構成されて、大きい凝塊捕捉領域を可能にしてもよい。また、図１に示されるように、区域１００１、１００３、及び１００５は、織られたワイヤ１０１０によって構成されてもよい。示された区域の数は例示的なものである。より多くの区域又はより少ない区域が提供されてもよい。
【００１９】
図２は、図１より開いた位置にある管腔内装置２０００を示し、環状をしたワイヤ１０２０から作られてもよい凝塊入口セル２０２０を強調する。図２に更に示されるように、区域１００２及び１００４は、大きい凝塊捕捉領域を可能にする環状をしたワイヤ１０２０から構成される。
【００２０】
図３は、更に別の例示的な管腔内装置３０００を示す。この例においては、図３に示されるように、装置３０００は、２つの異なる区域のみを含むように構成されてもよい。区域３００１は、装置３０００の構造的支持を提供する、例えば高密度に編組されるような、織られたワイヤ３０１０の群から構成されてもよい。更に、区域３００１はまた、遠位脈管系からの塞栓を防止する遠位フィルタとしての役割を果たしてもよい。また図３にも示されるように、区域３００２は、長手方向に位置し、凝塊入口区域３０２０を提供する環状をしたワイヤから構成されてもよい。更に、区域３００１は、例えば、構造的支持を与えてもよく、また遠位フィルタとしての役割を果たしてもよい。更に図３に示されるように、区域３００２は、凝塊入口区域であってもよい。
【００２１】
図４は、４つの領域を有する更に別の例示的な管腔内装置４０００を示す。第１の領域４００１においては、ワイヤは、シャフト４０１５を形成するように捩じられてもよいし、巻かれてもよい。第２の領域４００２においては、ワイヤは、第３の領域４００３の開口を支持する足場４０１７を形成するように織られてもよい。第３の領域４００３においては、ワイヤは、環状をした対に設定されるように織られて、凝塊捕捉構造体４０２０を形成してもよい。例えば、第３の領域４００３のワイヤは、緩やかに環状をしていてもよく、緩やかに結合していてもよい。更に、第４の領域４００４は、織られて遠位塞栓又は凝塊粒子を捕捉する遠位フィルタ４０３０を形成してもよい。第４の領域４００４はまた、第３の領域４００３のための足場としての役割を果たしてもよい。
【００２２】
図５は、更に別の例示的な管腔内装置５０００を示す。例えば、図５に示されるように、凝塊開口領域５００１は、共に環状をした３つのワイヤから織られてもよい。更に、共に環状をしたワイヤの数は、２つより大きくてもよい。
【００２３】
図６は、更に別の例示的な管腔内装置６０００を示す。例えば、図６に示されるように、凝塊開口領域６００１は、共に緩やかに環状をした３つのワイヤから織られてもよい。更に、共に環状をしたワイヤの数は、２つより大きくてもよい。
【００２４】
図７は、更に別の例示的な管腔内装置７０００を示す。例えば、図７に示されるように、装置７０００は、６つのケーブル７０２５を含み、各ケーブル７０２５は、対のワイヤを含んでもよい。これは、強くて柔軟な交差を作り出してもよい。そして、これは更に、例えば、装置７０００が高い半径方向の力を有する柔軟な構造体を達成することを可能にしてもよい。
【００２５】
図８は、上で説明されたように、ケーブルの織り交ぜ８０００の例を示す。各ケーブル７０２５は、例えば、交差ケーブルからの一対のワイヤで織られた環状をした一対のワイヤ８０２７から作られてもよい。結果として、例えば、半柔軟で強い交差点が達成されてもよい。
【００２６】
図９Ａ及び図９Ｂは、更に別の例示的な管腔内装置を示す。図９Ａに示されるように、ケーブルは、例えば、解かれ、次に交差ケーブルからのワイヤと共に織られた３つのワイヤから作られてもよい。図９Ｂはまた、（ケーブル９０２４及び９０２５を含む）ケーブルが解かれ、共に織り戻されるケーブル交差点９００６を示す。
【００２７】
図１に関連して上で説明されたように、図１０は、可変サイズの開口を有する装置１００００を示す。領域１０００１は、中間位置１０００２に隣接する織られたワイヤ１００１０の群を含み、中間位置１０００２のための構造的支持を提供してもよい。具体的には、領域１０００１における織られたワイヤ１００１０の群は、第１の隙間１００２８の開口を保持する支持を提供することができる。第１の隙間１００２８は、領域１０００１に存在する第２の隙間１００１８より大きい。断面１００５０は、ケーブル１００２５が中間位置１０００２において円周方向にどのように変位されるかを示す（断面１００５０に示されるリングを構成する線は、ケーブル１００２５が中心領域の周りにほぼ円周方向に変位することを示すものである）。加えて、第１の隙間１００２８の内側の断面１００５０に示されるドット付きの領域は、中間位置１０００２における凝塊入口のために提供された比較的大きな開口を示すために使用される。
【００２８】
加えて、例示的な実施形態が本明細書において説明されたが、その範囲は、本開示に基づく同等の要素、変更、省略、組合せ（例えば、様々な実施形態に亘る態様の組合せ）、適合、又は改変を有する任意の全ての実施形態を含む。特許請求の範囲における要素は、特許請求の範囲において使用される言語に基づいて広く解釈されるべきであって、本明細書において、又は実施例が非排他的であるとして解釈されるべきである本出願の手続の間に、説明される実施例に限定されるものではない。更に、開示された方法のステップは、ステップの並び替え又はステップの挿入若しくは削除によって含む、任意の方法で変更されることができる。従って、明細書及び実施例は、単なる例示としてみなされ、真の範囲及び精神は、添付の特許請求の範囲及びその均等物の全範囲によって示されることが意図される。
【図１】
2019500078.tif 000003
【図２】
2019500078.tif 000004
【図３】
2019500078.tif 000005
【図４】
2019500078.tif 000006
【図５】
2019500078.tif 000007
【図６】
2019500078.tif 000008
【図７】
2019500078.tif 000009
【図８】
2019500078.tif 000010
【図９Ａ−９Ｂ】
2019500078.tif 000011
【図１０】
2019500078.tif 000012
【国際調査報告】
2019500078.tif 000013